(57)【要約】  自分の体型や座席のサイズ等のニーズに合わせてクッションを手軽にカスタマイズでき、多用途に利用できる。  シートクッション（１）は、シート状の１枚のフック状に密集して起毛された起毛生地である第１面ファスナー（２ａ）で表面側が覆われたベースクッション（２Ａ）と、表面が曲面、裏面が平面から構成されており、多数の通気孔を有するカバーシートによりクッションを覆うとともに、ループ状の形状で密集して起毛又は植毛された第２面ファスナー（３ａ〜３ｄ）を裏面に取り付けた横方向に長い１個のセンターパッド（３）と、縦方向に長く、表面が曲面、裏面が平面から構成されており、多数の通気孔を有するカバーシートによりクッションを覆うとともに、ループ状の形状で密集して起毛又は植毛された第３面ファスナー（４ａ〜４ｃ）を裏面に取り付けたクビレを有する一対の上サイドウィングパッド（４Ａ）から構成されている。
2017033467.tif 000002
【特許請求の範囲】
【請求項１】
第１面ファスナーで覆われたベースクッションと、表面が曲面から構成されており、多数の通気孔を有するカバーシートによりクッションを覆うとともに、第２面ファスナーを裏面に取り付けたセンターパッドと、表面が曲面から構成されており、多数の通気孔を有するカバーシートによりクッションを覆うとともに、第３面ファスナーを裏面に取り付けたクビレを有する一対の上サイドウィングパッドと、を有し、前記第２面ファスナー及び第３面ファスナーを前記第１面ファスナーに係合させることにより、前記センターパッド及び上サイドウィングパッドを前記ベースクッションに取り付け、前記第２面ファスナー及び第３面ファスナーを前記第１面ファスナーから剥離させることにより、前記センターパッド及び上サイドウィングパッドを前記ベースクッションから離脱させることが可能であり、前記係合及び剥離により、前記センターパッド及び上サイドウィングパッドの位置及び／又は種類を変更可能なシートクッション。
【請求項２】
前記上サイドウィングパッドの裏面の第３面ファスナーは帯状に形成され、長手辺の片側が上サイドウィングパッドの裏面の内側の縁辺に縦方向に固定され、長手辺の他側が自由端部となり、内側に折り返されていて、その外側に追加の小さな第３面ファスナーを設ける請求項１のシートクッション。
【請求項３】
第１面ファスナーで覆われたベースクッションと、表面が曲面から構成されており、多数の通気孔を有するカバーシートによりクッションを覆うとともに、第２面ファスナーを裏面に取り付けたサイパッドと、表面が曲面から構成され、多数の通気孔を有するカバーシートによりクッションを覆うとともに、第３面ファスナーを裏面に取り付けたクビレを有する一対の下サイドウィングパッドと、を有し、前記第２面ファスナー及び第３面ファスナーを前記第１面ファスナーに係合させることにより、前記サイパッド及び下サイドウィングパッドを前記ベースクッションに取り付け、前記第２面ファスナー及び第３面ファスナーを前記第１面ファスナーから剥離させることにより、前記サイパッド及び下サイドウィングパッドを前記ベースクッションから離脱させることが可能であり、前記係合及び剥離により、前記サイパッド及び下サイドウィングパッドの位置及び／又は種類を変更可能なシートクッション。
【請求項４】
前記下サイドウィングパッドの裏面の第３面ファスナーは帯状に形成され、長手辺の片側が下サイドウィングパッドの裏面の内側の縁辺に縦方向に固定され、長手辺の他側が自由端部となり、内側に折り返されていて、その外側に追加の小さな第３面ファスナーを設ける請求項３のシートクッション。
【請求項５】
前記ベースクッションの下端部又は上端部に差込パッドを備えた請求項１乃至４いずれかのシートクッション。
【請求項６】
前記ベースクッションに少なくとも一対のベルトを脱着可能に設けた請求項１乃至５いずれかのシートクッション。
【請求項７】
クッションの硬さ及び／又は大きさが相違する複数種類のパッドを交換して用いる請求項１乃至６いずれかのシートクッション。
【請求項８】
前記上サイドウィングパッド又は下サイドウィングパッドが菱襟の形状であり、内側よりも外側の厚みが厚く、棒状の中芯が外辺に沿って配置される請求項１乃至６いずれかのシートクッション。
【請求項９】
請求項１のシートクッションと、請求項３のシートクッションを上下に合体したシートクッション。
【請求項１０】
ベースクッションの上部に一対のバックパッドを備え、ベースクッションの下部に一対のレッグパッドを備え、すべてのパッドが取り外し可能な請求項９のシートクッション。
【請求項１１】
前記バックパッドの厚みは、ベースクッションの厚みより大きく、センターパッド及び上サイドウィングパッドの厚みより小さく、バックパッドの横幅は、センターパッド及び上サイドウィングパッド、パッドの最大横幅より小さく、バックパッドはセンターパッドの上下において、上サイドウィングパッドの間に配置される請求項１０のシートクッション。
【請求項１２】
前記レッグパッドの厚みは、ベースクッションの厚みより大きく、サイパッド及び下サイドウィングパッドの厚みより小さく、レッグパッドの横幅は、サイパッド及び下サイドウィングパッドの最大横幅より小さく、レッグパッドはサイパッドと下サイドウィングパッドの間に配置される請求項１０のシートクッション。
【請求項１３】
前記上サイドウィングパッド及び／又は下サイドウィングパッドが菱襟の形状であり、内側よりも外側の厚みが厚く、外側周縁に沿って棒状の中芯が封入される請求項９乃至１２いずれかのシートクッション。
【請求項１４】
前記サイパッドが洋凧形状であり、中央部に縦方向に中芯が封入され、周辺部よりも厚い請求項１乃至１３いずれかのシートクッション。
【請求項１５】
センターパッドが∨字６角形状である請求項１乃至１３いずれかのシートクッション。
【請求項１６】
ベースクッションは、２枚のシートクッションの端部を突き合わせて縫製し連結し、裏面側に突出する屈曲部を有し、Ｌ字形の第１の状態と、水平の第２の状態に変化可能な構造である請求項１乃至１５いずれかのシートクッション。
【請求項１７】
前記屈曲部に差込部が脱着される請求項１乃至１６いずれかのシートクッション。
【発明の詳細な説明】
【技術分野】
【０００１】  本発明は乗物のシート（座席）又は椅子等に取り付け可能なシートクッションに関し、特に、着座者の人体的特性の相違、好みを調整できるようにして、着座を快適に行い、背中や腰の疲労を低減し、さらに発汗等による蒸れを防止できるシートクッションに関する。
【背景技術】
【０００２】  特許文献１に記載の発明は、カーシートや椅子に着座する際、使う人の体型や好みに合わせ、横ずれを起こしにくくすることで快適な姿勢を保つ背あてクッションを提供するため、ベースクッションと左右２枚のサイドパッドから構成される背あてクッションであり、サイドパッドは使う人の体型や好みに併せて左右上下に動かし取り付けることができる。【０００３】  特許文献２に記載の発明は、椅子等を使用したときに圧迫を受ける体の負担を軽減する形状を作り、望ましい姿勢を保つ身体負担軽減保持具を提供するもので、椅子の背当て部および座部に膨出状の保持部材を着脱テープによって着脱可能に適宜配置することにより、椅子等を使用者の身体的特徴に合わせたものに形成する。【０００４】  特許文献３に記載の発明は、車の運転において生じやすい疲労を軽減するための姿勢矯正具を提供するもので、弾力性を有する棒状クッションを背もたれに脱着可能に取り付けることによって、背骨が真っ直ぐになり重心が常に体の中心に位置し、身体の疲労を解消することができる。【０００５】  特許文献４に記載の発明は、使用者の体格に合わせて形状を変えることができ、乗り物用シートに好適なパッド構成体を提供するもので、シートバックやシートクッションの左右の隆起部（サイドサポート部）にクッション体を着脱可能に挿入することによって、使用者の体格に合わせた形状にする。
【先行技術文献】
【特許文献】
【０００６】
【特許文献１】実用新案登録第３１５１４０２号公報
【特許文献２】特開２００２−２３３４３５号公報
【特許文献３】特開２００５−３１３８５５号公報
【特許文献４】特開２００９−２９１５２５号公報
【発明の概要】
【発明が解決しようとする課題】
【０００７】  しかしながら、既存製品は自分の体型や座席のサイズ等のニーズに合わせてクッションを手軽にカスタマイズすることができず、それぞれの生活環境に合わせた最適な選択を行うことができない等、使い勝手が十分ではない。また必要最小限の部位を支えるコンパクトで軽量な設計ではないため、女性では車からオフィスの椅子へ付け替える等の扱いが手軽にできない。【０００８】  また、体圧分散、姿勢矯正による健康への貢献について、科学的な見地に基づく裏付けに乏しい。さらに、姿勢を矯正したい、長時間の着座からの疲労を軽減したい、痔などお尻にトラブルからの痛みを緩和したい、産後の女性は腰まわりからお尻までの負担を軽減したい等、人々の様々な要望に十分応えられていない。【０００９】  洗練されたデザインが魅力のサポートギアを提供して欲しいという要望もある。【００１０】  安定して着席することができ、長時間の着座による蓄積疲労を低減するといった観点からも未だ十分ではない。【００１１】  本発明は、自分の体型や座席のサイズ等のニーズに合わせてクッションを手軽にカスタマイズすることができること、それぞれの生活環境に合わせた最適な選択を行うことができること、使い勝手を改善すること、必要最小限の部位を支えるコンパクトで軽量な設計とすること、ドライブ、事務作業、車椅子等、生活上の様々な場面で使用を可能とすること、体圧分散、姿勢矯正による健康への貢献ができること、洗練されたデザインを提供すること、安定して着席することができ、長時間の着座による蓄積疲労を低減することにある。
【課題を解決するための手段】
【００１２】  請求項１の発明は、第１面ファスナーで覆われたベースクッションと、表面が曲面から構成されており、多数の通気孔を有するカバーシートによりクッションを覆うとともに、第２面ファスナーを裏面に取り付けたセンターパッドと、表面が曲面から構成されており、多数の通気孔を有するカバーシートによりクッションを覆うとともに、第３面ファスナーを裏面に取り付けた、クビレを有する一対の上サイドウィングパッドと、を有し、前記第２面ファスナー及び第３面ファスナーを前記第１面ファスナーに係合させることにより、前記センターパッド及び上サイドウィングパッドを前記ベースクッションに取り付け、前記第２面ファスナー及び第３面ファスナーを前記第１面ファスナーから剥離させることにより、前記センターパッド及び上サイドウィングパッドを前記ベースクッションから離脱させることが可能であり、前記係合及び剥離により、前記センターパッド及び上サイドウィングパッドの位置及び／又は種類を変更可能なシートクッションである。【００１３】  請求項２の発明は、前記上サイドウィングパッドの裏面の第３面ファスナーは帯状に形成され、長手辺の片側が上サイドウィングパッドの裏面の内側の縁辺に縦方向に固定され、長手辺の他側が自由端部となり、内側に折り返されていて、その外側に追加の小さな第３面ファスナーを設ける。【００１４】  請求項３の発明は、第１面ファスナーで覆われたベースクッションと、表面が曲面から構成されており、多数の通気孔を有するカバーシートによりクッションを覆うとともに、第２面ファスナーを裏面に取り付けたサイパッドと、表面が曲面から構成されており、多数の通気孔を有するカバーシートによりクッションを覆うとともに、第３面ファスナーを裏面に取り付けた、クビレを有する一対の下サイドウィングパッドと、を有し、前記第２面ファスナー及び第３面ファスナーを前記第１面ファスナーに係合させることにより、前記サイパッド及び下サイドウィングパッドを前記ベースクッションに取り付け、前記第２面ファスナー及び第３面ファスナーを前記第１面ファスナーから剥離させることにより、前記サイパッド及び下サイドウィングパッドを前記ベースクッションから離脱させることが可能であり、前記係合及び剥離により、前記サイパッド及び下サイドウィングパッドの位置及び／又は種類を変更可能なシートクッションである。【００１５】  請求項４の発明は、前記下サイドウィングパッドの裏面の第３面ファスナーは帯状に形成され、長手辺の片側が上サイドウィングパッドの裏面の内側の縁辺に縦方向に固定され、長手辺の他側が自由端部となり、内側に折り返されていて、その外側に追加の小さな第３面ファスナーを設ける。【００１６】  上サイドウィングパッド又は下サイドウィングパッドは、通気度及び弾性反発力が相違するように構成され、センターパッド又は上サイドウィングパッドは厚みと硬さを変えることができる。通気の良好な立体網状構造体と、反発弾性の相違するものを組み合わせることも可能であり、マットの積層の順番や枚数を使用者が好きなように変更できる。【００１７】  請求項５の発明は、前記ベースクッションの下端部又は上端部に差込パッドを備えている。【００１８】  請求項６の発明は、前記ベースクッションに少なくとも一対のベルトを設けた。【００１９】  請求項７の発明は、クッションの硬さ及び／又は大きさが相違する複数種類のパッドを交換して用いる。【００２０】  請求項８の発明は、前記上サイドウィングパッド又は下サイドウィングパッドが菱襟の形状であり、内側よりも外側の厚みが厚く、棒状の中芯が外辺に沿って配置される。【００２１】  請求項９の発明は、請求項１のシートクッションと、請求項３のシートクッションを上下に合体させる構造である。【００２２】  請求項１０の発明は、ベースクッションの上部に一対のバックパッドを備え、ベースクッションの下部に一対のレッグパッドを備え、すべてのパッドが取り外し可能である。【００２３】  請求項１１の発明は、バックパッドの厚みは、ベースクッションの厚みより大きく、センターパッド及び上サイドウィングパッドの厚みより小さく、バックパッドの横幅は、センターパッド及び上サイドウィングパッド、パッドの最大横幅より小さく、バックパッドはセンターパッドの上下において、上サイドウィングパッドの間に配置される。【００２４】  請求項１２の発明は、レッグパッドの厚みは、ベースクッションの厚みより大きく、サイパッド及び下サイドウィングパッドの厚みより小さく、レッグパッドの横幅は、サイパッド及び下サイドウィングパッドの最大横幅より小さく、レッグパッドはサイパッドと下サイドウィングパッドの間に配置される。【００２５】  請求項１３の発明は、前記上サイドウィングパッド及び／又は下サイドウィングパッドが菱襟の形状であり、内側よりも外側の厚みが厚く、外側周縁に沿って棒状の中芯が封入される。【００２６】  請求項１４の発明は、前記サイパッドが洋凧形状であり、中央部に縦方向に中芯が封入され、周辺部よりも厚い。【００２７】  請求項１５の発明は、センターパッドがＶ字の５角形又は６角形である。【００２８】  請求項１６の発明は、ベースクッションは、２枚のシートクッションの端部を突き合わせて縫製し連結し、裏面側に突出する屈曲部を有し、Ｌ字形の第１の状態と、水平の第２の状態に変化可能な構造である。【００２９】  請求項１７の発明は、前記屈曲部に差込部が脱着される。【００３０】  本発明は自動車等の乗物のシート（seat）、椅子の背凭れ（back rest）等、座ることを目的とする対象物に適用される。【００３１】  上述の中芯はポリエチレンの発泡体から成り、被覆材はポリウレタン樹脂の発泡体から成り、カバーシートはメッシュ編地、又は、ダブルラッセル立体編地であり、ダブルラッセル立体編地は経編方法で編まれた蜂の巣状のハニカム構造をもった通気性の良い生地である。二重になっているので強い弾力を持っており、 速乾性も有りさらっとした感触で不快感を軽減するので、シートクッションとしての通気性を確保して、汗などによるムレなどを防ぐことができる。【００３２】  前記シートクッションは、カバーシートの内部全体にクッションが収納され、前記棒状の中芯及び被覆材からなるクッションは、長手方向に垂直な断面において荷重がかかる側に丸みを有し、上サイドウィングパッドに中芯として内包されており、座部のクッションも中芯を内包しており、中芯は、中芯を���まない部分のクッションに比べて反発弾性が高いシートクッションにすることができる。
【発明の効果】
【００３３】  請求項１によれば、センターパッド又は上サイドウィングパッドがベースクッションに対してその位置を、上下左右に自由に変更可能に脱着できるので、使う人の体型や好みにあわせ、センターパッド又は上サイドウィングパッドの位置を自由に調整することが可能である。また、センターパッド或いは上サイドウィングパッドの個数を自由に使い分けることができる。センターパッド或いは上サイドウィングパッドの種類（例えば、寸法、硬さ、厚さ、通気性などの表面特性等）を自由に変更できる。これにより、シートを利用する者の身長、体重等の体型の相違点、好みの相違点等を克服することができる。さらに、自動車用、椅子用など、シートクッションを多用途に利用でき、自由度が拡大する効果がある。【００３４】  請求項２の発明によれば、サイドウィングパッドの可動性を高めるとともに、背中を包み込むようフィットできるので、姿勢のズレを防止し、疲労感を軽減できる。【００３５】  請求項３の発明によれば、サイパッド又は下サイドウィングパッドがベースクッションに対して脱着可能であるので、サイパッド又は下サイドウィングパッドの位置を自由に調整することが可能である。また、サイパッド又は下サイドウィングパッドの個数を自由に使い分けることができる。サイパッド又は下サイドウィングパッドの種類（例えば、寸法、硬さ、厚さ、通気性などの表面特性等）を自由に変更できる。これにより、シートを利用する者の身長、体重等の体型の相違点、好みの相違点等を克服することができる。さらに、自動車用、椅子用など、シートクッションを多用途に利用でき、自由度が拡大する効果がある。【００３６】  請求項４の発明によれば、サイドウィングパッドの可動性を高めるとともに、背中を包み込むようフィットできるので、姿勢のズレを防止し、疲労感を軽減できる。【００３７】  請求項５の発明によれば、座席、椅子等への脱着を容易化し、利便性を格段に向上できる。【００３８】  請求項６の発明によれば、前記ベルトを備えることで、シートクッションを座席に簡単に装着できる。ベルトの端部にはスナップ・フィット等を設けて、ワンタッチで脱着できる。【００３９】  請求項７の発明によれば、セミオーダー感覚でパッドを容易に取り替えることができる。【００４０】  請求項８の発明によれば、くびれを有するので、手の自由度が確保でき、また、空気の流通が良好になり、快適性を提供できる。上半身又は下半身を両側から包み込み、セミオーダー感覚で身体のズレなど姿勢の崩れを適切に防止できる。【００４１】  請求項９の発明によれば、体型やシートの状態、身体の悩みや個人の好みに応じて、セミオーダー感覚で位置を調整できるフルカスタムクッションを提供できる。【００４２】  請求項１０の発明によれば、セミオーダー感覚で、背中や足に対する負荷を調整できる。【００４３】  請求項１１の発明によれば、背中を立体的に支え、背中の体圧分散機能を促進し、マッサージ効果も生じさせるものである。【００４４】  請求項１２の発明によれば、臀部や尾骨のクッション性を高め体圧の分散をさらに付加でき、座面の厚さを増し、クッション性とアイポイントを適正化できる。【００４５】  請求項１３の発明によれば、上���身又は下半身を両側から包み込み、身体のズレなど姿勢の崩れを防止する。Ｖ字型となっているので、様々な体格の人に対応でき、自分の体格に合わせてジャストフィットできるので、長時間の使用にも疲労を感じにくい。【００４６】  請求項１４の発明によれば、太腿を支えて姿勢の崩れを防ぎ、ベストなポジションを長時間に渡ってサポートすることができる。【００４７】  請求項１５の発明によれば、背中を支えて姿勢の崩れを防ぎ、ベストなポジションを長時間に渡ってサポートすることができる。センターパッドは人体本来の自然の姿勢である腰部のＳ字ラインを正しく保持し負担を分散させる。腰回りの支えのほかに、首周りにも設置可能であり、上下に位置をずらすことで、首のサポートにもなり得る。【００４８】  請求項１６の発明によれば、使用者がシートクッションに座ることに加えて、シートクッションを進展させることで、寝ることにも利用できる。【００４９】  請求項１７の発明によれば、差込部がベースクッションに脱着可能であるとともに、ベースクッションから外れにくくなる。
【図面の簡単な説明】
【００５０】
【図１】本発明の実施形態１のシートクッション（seat cushion）の表側からの斜視図である。
【図２】本発明の実施形態１のシートクッションの裏側からの斜視図である。
【図３】本発明の実施形態１のシートクッションの表側からの分解斜視図である。
【図４】本発明の実施形態１のセンターパッドの表側からの斜視図である。
【図５】本発明の実施形態１のセンターパッドの裏側からの斜視図である。
【図６】本発明の実施形態１のセンターパッドの変更形態の構造の説明図である。
【図７】本発明の実施形態１の上サイドウィングパッドの表側からの斜視図である。
【図８】本発明の実施形態１の上サイドウィングパッドの裏側からの斜視図である。
【図９】図９Ａは図９ＢのA-A断面図、図９Ｂは本発明の実施形態１の上サイドウィングパッドの中芯の配置を示す平面図である。
【図１０】本発明の実施形態１の自動車への装着例を示す斜視図である。
【図１１】本発明の実施形態２のシートクッションの表側からの斜視図である。
【図１２】本発明の実施形態２のシートクッションの裏側からの斜視図である。
【図１３】本発明の実施形態２のシートクッションの表側からの分解斜視図である。
【図１４】本発明の実施形態２のサイパッドの表側からの斜視図である。
【図１５】本発明の実施形態２のサイパッドの裏側からの斜視図である。
【図１６】図１６Ａは本発明の実施形態２のサイパッドの中央横断面図、図１６Ｂは使用状態の断面図（ハッチング省略）である。
【図１７】本発明の実施形態２の下サイドウィングパッドの表側からの斜視図である。
【図１８】本発明の実施形態２の下サイドウィングパッドの裏側からの斜視図である。
【図１９】本発明の実施形態２の自動車への装着例を示す斜視図である。
【図２０】本発明の実施形態３の自動車への装着例を示す斜視図である。
【図２１】本発明の実施形態４のシートクッションの表側からの斜視図である。
【図２２】本発明の実施形態４のシートクッションの裏側からの斜視図である。
【図２３】本発明の実施形態４のシートクッションの表側からの分解斜視図である。
【図２４】本発明の実施形態５のシートクッションの表側からの斜視図である。
【図２５】本発明の実施形態５のシートクッションの裏側からの斜視図である。
【図２６】本発明の実施形態５のシートクッションの表側からの分解斜視図である。
【図２７】本発明の実施形態５の下サイドウィングパッドの表側からの斜視図である。
【図２８】本発明の実施形態５の下サイドウィングパッドの裏側からの斜視図である。
【図２９】本発明の実施形態６のシートクッションの表側からの斜視図である。
【図３０】本発明の実施形態６のシートクッションの左側面図である。
【図３１】本発明の実施形態６のシートクッションの右側面図である。
【図３２】本発明の実施形態６のシートクッションの平面図である。
【図３３】本発明の実施形態６のシートクッションの底面図である。
【図３４】本発明の実施形態６のシートクッションの背面図である。
【図３５】本発明の実施形態６のベースクッションの表側からの斜視図である。
【図３６】本発明の実施形態６のベースクッションの裏側からの斜視図である。
【発明を実施するための形態】
【００５１】  本発明の実施の形態を以下詳細に説明する。本発明の実施形態１の図１〜図１０に示すシートクッション１（seat cushion:以下、クッション１という。）は、図１０に示す自動車のシート９０に装着したり取り外しが可能、或いは、図示は略すが、椅子等にも装着したり取り外しが可能である。自動車のシート９０用、或いは、椅子用等いずれか専用に利用することも可能であるし、その他、車椅子等にも適用が可能である。また、自動車のシート９０用、或いは、椅子用等に相互に転用が可能でもある。以下、クッション１について図面を参照して詳細に説明する。
【００５２】  クッション１は、発泡倍率２０〜４０（ここでは３０倍）の発泡ウレタンシート（urethan sheet）の表面に、シート(sheet)状の１枚のループ状に密集して起毛された起毛生地、例えば、いわゆるフレンチパイル（サテン・トリコットのフロント糸を長く出し、編み上げてから起毛させてフロント糸を引き出して、ループ・パイルにしたもの）をラミネートにより形成した第１面ファスナー２ａで表面側が覆われたベースクッション２Ａ（以下、クッション２Ａという。）と、表面が曲面、裏面が平面から構成されており、多数の通気孔を有するカバーシートによりクッションを覆うとともに、フック状の形状で密集して起毛又は植毛された第２面ファスナー３ａ〜３ｄを裏面に取り付けた横方向に長い１個のセンターパッド３（以下、パッド３という。）と、縦方向に長く、表面が曲面、裏面が平面から構成されており、多数の通気孔を有するカバーシートによりクッションを覆うとともに、フック状の形状で密集して起毛又は植毛された第３面ファスナー４ａ〜４ｃを裏面に取り付けた、クビレを有する一対の上サイドウィングパッド４Ａ（以下、パッド４Ａという。）から構成されている。パッド３、パッド４Ａの個数は適宜増減可能である。上記の面ファスナーの構造以外にも、フックとループ両方が植え込まれており、フック面とループ面との区別のないタイプ、或いは、マッシュルーム状に起毛されていて結合力が強いクリックタイプ、鋸歯状のシャークバイト（鮫歯）タイプなど、種々のバリエーションをとり得る。ベルクロファスナーとも呼ばれる。なお、以下、「面ファスナー」を「ファスナー」と略す。
【００５３】  パッド３は、図４〜図６に示す通り、横方向に長い形状でＶ字６角形であり、頭、首、背中、腰の部位に対応する位置に配置され、頭から腰の部位まで上下に移動でき、配置は変更可能である。パッド３は下部のみＶ字形の５角形でもよい。図１、１０では、頭の位置に配置してある。パッド３は、表側のカバーシートの表生地３０と、裏生地３１とが縫製により周縁部３２で連続的に接合され、内部に芯材としてのクッションが封入される。カバーシートはメッシュ編地、又は、ダブルラッセル立体編地である。周縁部３２はカバーシートと同様の材質である。シートクッションとしての通気性を確保して、汗などによるムレなどを防ぐことができる。図６に示す芯材３５は三次元網状構造体である連続気泡ウレタン発泡体（モルトフィルタ（登録商標）：ウレタンフォームを特殊処理により、完全なオープンセル構造にしたウレタンフィルター）である。例えば、ポリウレタン発泡体を製造する場合、ポリオール、ポリイソシアネート、発泡剤を主成分とし、整泡剤や、第３級アミンや各種添加剤を使用して、発泡し、その後、硬化して形成している。より通気度の高いポリウレタン発泡体を得る場合には、発泡した後、熔解処理がされている。この熔解処理は、セル膜を吹飛ばしてポリウレタン発泡体に形成されている骨格構造だけを残す。例えば、熔解処理は、多数のオープンセルからなるポリウレタン発泡体を防爆容器中に収納し、該容器中に充填したプロパンガスと酸素の混合気に点火してこれを爆発させる。この爆発に伴う圧力により、ポリウレタン発泡体における多数のセルを隔てているセル膜を吹飛ばし、立体網目状の骨格構造だけを残留させることにより、セル膜が除去されたポリウレタン発泡体が得られる。パッド３は、ポリエチレン樹脂、又は、ポリウレタン樹脂の発泡体でもよい。パッド３により使用者は腰のある独特の感触が得られる。パッド３をクッション２Ａに取り付ける際には、体型に合わせて、図示の状態を上下に反転してクッション２Ａに取り付けてもよいし、位置は上下にずらすことができる。
【００５４】  パッド３の裏面には、図５のように、第２ファスナー３ａ〜３ｄを、周辺部等の適宜の位置に縫製により取り付けることで、その取り付け位置の変化をもたらすことを可能とした。
【００５５】  図６に示す通り、複数層のクッション３５〜３７をファスナー３９の開閉により、挿脱可能としてもよい。構造の詳細は後述する。
【００５６】  一対のパッド４Ａは、図７〜図１０に示す通り、洋服の菱襟の形状を備え、内側よりも外側の厚みが厚く、図１、図３に示す通り、左右対称の形状である。パッド４Ａは縦方向に長い形状である。ここではくびれを有する縦長の形状である。手の自由度が確保でき、また、空気の流通が良好になり、快適性を提供できる。パッド４Ａは、表側のカバーシートの表生地４０と、裏生地４１とが縫製により周縁部４２で連続的に接合されている。カバーシートはメッシュ編地、又は、ダブルラッセル立体編地である。周縁部４２はカバーシートと同様の材質である。シートクッションとしての通気性を確保して、汗などによるムレなどを防ぐことができる。芯材はポリエチレン樹脂、又は、ポリウレタン樹脂の発泡体から成る。パッド４Ａをクッション２Ａに取り付ける際には、体型に合わせて、図示の状態を上下に反転してクッション２Ａに取り付けてもよい。
【００５７】  パッド４Ａは、それぞれ、図８等に示す通り、直線状の内端縫製線４３と、くびれを有する襟外端線４４とを備えており、上部中央に平面視で、三角形状部４５、中央凹部４６、下部三角形状部４７を有している。厚みは概ね均一であるが、厚みに差異を設けても良い。パッド４Ａの内部に棒状の中芯４８と、これを被覆する被覆材４９が封入されている。中芯４８は、図９Ａ、図９Ｂに示す通り、外側端の湾曲線に沿って配置され、強度とクッション性を確保するとともに、内側領域は被覆材４９を配置することで、通気性を確保している。
【００５８】  パッド４Ａの裏面は図８のように複数の第３ファスナー４ａ〜４ｃをこの位置に取り付けることで、取り付け位置の変化をもたらすことを可能とした。第３ファスナー４ａは帯状に形成され縦方向の一端部が、パッド４Ａの裏面の端部に縦方向に縫製により固定され、他端部は内側に折り返されて自由端になっている。これにより、クッション２Ａに対するパッド４Ａの位置がずらしやすくなり、位置の自由度が高くなり、可動域が拡大する。第３ファスナー４ｂ，４ｃは第３ファスナー４ａよりも小さい寸法であり、パッド４Ａの裏面に縫製で固定されている。第３ファスナー４ａ〜４ｃをこれらの位置に取り付けることで、座時点での人間の腰や背中にあわせパッド４Ａが自在に可動することを実現できる。
【００５９】  クッション１は、フック形状のフィラメントを有する第２ファスナー３ａ〜３ｄおよび第３ファスナー４ａ〜４ｃを、クッション２Ａのループ形状の起毛生地に係合させることにより、パッド３及びパッド４Ａをクッション２Ａに取り付け、第２ファスナー３ａ〜３ｄおよび第３ファスナー４ａ〜４ｃをループ形状の起毛生地である第１ファスナー２ａから剥離させることにより、パッド３及びパッド４Ａをクッション２Ａから離脱させることが可能であり、このような係合及び剥離により、パッド３及びパッド４Ａの位置及び／又は硬さ等のクッション性能を変更可能である。
【００６０】  クッション２Ａの上部に一対のベルト２ｅ、中央部に一対のベルト２ｆを設けてある。ベルト２ｅ、２ｆは座席に取り付けるためのものであり、端部に脱着自在な脱着装置を設けている。これらのベルト２ｅ、２ｆを備えることで、シートクッションを座席に簡単に装着できる。脱着装置は、例えば、スナップ・フィット構造であり、ワンタッチで脱着できることが好ましい。
【００６１】  クッション２Ａの下端部に差込パッド２ｇ（以下、パッド２ｇという。）を備えている。パッド２ｇの内部構造はサイドパッド４Ａの内部構造と同様であり、中芯を有する。パッド２ｇは自動車のシート９０の座部と背凭れとの間にある溝に差し込まれるように寸法が適合されたものが例示される。
【００６２】  パッド３、４Ａ、２ｇは、例えば、棒状の中芯を被覆材で被覆したもの、或いは、少なくとも２層のマットが積層されたものを、通気性のあるカバーシートで被覆したものが好ましく、通気度及び弾性反発力が相違するように構成されることが好ましい。パッド３又はパッド４Ａの厚みと硬さを変えることができる。通気の良好な立体網状構造体と、反発弾性の相違するものを組み合わせることも可能である。マットの積層の順番や枚数を使用者が好きなように変更できることが好ましい。
【００６３】  上記の各パッドのカバーシートとしては、多数の通気孔を有する素材であり、材質としてとくには限定されないが、各種の繊維によるメッシュ編地が好ましく、なかでも適度なクッション性を有する点でダブルラッセル立体編地を好適に採用することができる。シートクッションとしての通気性を確保して、汗などによるムレなどを防ぐことができる。繊維としては各種の合成繊維、天然繊維、再生繊維を用いることができるが、ナイロン繊維、ポリエステル繊維、ポリプロピレン繊維などが好ましい。
【００６４】  パッド３、パッド４Ａ、２ｇの中芯及び被覆材はポリウレタン発泡体、又は、ポリエチレンの発泡体からなり、中芯の反発弾性が被覆材よりも高いことが好ましい。
【００６５】  内部に収容する中芯としては、ＪＩＳ  Ｋ６４００−３に準拠して測定される反発弾性が高いものを採用することが可能である。この材料として、ポリエチレン高発泡体で棒状に成形された発泡体（ミナフォームマルマル（登録商標）、酒井化学工業社製）、例えば、直径１８ｍｍ〜５０ｍｍを採用する。引張強度ＪＩＳ  Ｋ６７６７で２〜５．３ｋｇｆ／ｃｍ２、圧縮荷重２５％圧縮で８．２〜９６．０Ｎ／５０ｍｍ、５０％圧縮で２２．３〜１４８．６Ｎ／５０ｍｍである。また、例えば、メタロセン触媒を使用して重合した高密度ポリエチレンを含有してなる発泡シートで、高密度ポリエチレンのメルトテンションが、０．５〜１５ｇであり、且つ、ＭＦＲが、１．５〜１０ｇ／１０ｍｉｎ、発泡倍率が２〜５０倍である。ポリウレタン樹脂の高発泡体（アキレス社製（登録商標））でもよい。被覆材は反発弾性が低い材料が好ましい。中芯は荷重の加わる領域に配置されることが好ましい。
【００６６】  上記各パッドの中芯としては、合成樹脂高発泡体が用いられ、ポリウレタン樹脂、ポリエチレン、ポリプロピレン、ポリスチレンなどの高発泡体を１種又は２種以上積層して用いることができる。特に、適度な反発弾性が期待される部位にはポリエチレン高発泡体又はポリエチレン高発泡体から成る芯材をポリウレタン高発泡体で包んだ積層発泡体を用いることが好ましい。ポリエチレン高発泡体としては、高発泡ポリエチレンシートの製品を断裁して使用することができる。たとえば、ＪＳＰ社製ミラマット（登録商標）が例示される。ポリエチレン高発泡体としては、独立気泡で発泡倍率が１０〜６０倍（かさ密度として１５〜９２ｋｇ／ｍ３）程度の発泡体が用いられる。特に、発泡倍率が２０〜４０倍のポリエチレン高発泡体が好ましい。ポリウレタン樹脂の高発泡体としては、連続気泡型又は独立気泡型のいずれも使用することもできる。ポリエチレン高発泡体から成る中芯をポリウレタン樹脂の高発泡体から成る被覆材で包んだ積層発泡体を採用することが好ましい。
【００６７】  各パッドとしては、合成樹脂高発泡体から成るクッションを１種又は２種以上組み合わせて使用することができ、例えば、ポリウレタン樹脂の高発泡体を採用している。第２クッションは反発弾性が高い中芯を、それよりも反発弾性が低い被覆材である第１クッションで包んで構成している。本明細書において芯材及び被覆材としては、それぞれ上述した合成樹脂高発泡体から成るクッションを組み合わせて使用することができる。
【００６８】  第２クッションは、断面が扁平な矩形状で人体が接する側の断面に丸みをもたせた中芯を被覆材で包んだものを採用することも可能である。
【００６９】  クッション２Ａ、パッド３、４Ａの周端は縁取りされて縫製され、全周端が縁縫部となっている。
【００７０】  上記に代えて、それぞれのパッドは、図６に示す通り、少なくとも、三次元立体網状構造体マットからなる第１クッションマット、弾性反発力が相違する第２クッションマットが積層されていてもよい。上記各パッドはファスナーを有し、その内部には、反発弾性が異なる３種以上のクッションマットを重ね合わせて収納していることが好ましい。
【００７１】  各パッドの内部に、それぞれ、オープンセル構造の連続気泡ウレタン発泡体（モルトフィルター（登録商標）、イノアックコーポレーション社製（登録商標））、ポリエチレン発泡体（ＰＥライトＺ、ＺＯＴＥＦＯＲＭＥＳ社製）、ウレタン発泡体（高通気フォーム、アキレス社製（登録商標））という３種の材質からなる板材を重ねあわせたものが挙げられるが、これに限定されるものではない。上記３種類の材質のクッションマットを１種だけ内包させてもよいし、３種類を組み合わせたものでも良い。上記発泡体は弾性反発力及び通気度が相違するように設定されている。これらの積層順序は使用者が適宜変更可能であり、頭部に接触する面の硬軟を着座者の嗜好に合わせて調整することができる。また、マットの枚数は好みに合わせた枚数でよいので、少なくとも１枚以上が収容されていればよく、反発弾性の調整も容易である。
【００７２】  本実施形態は、自動車等の乗物のシート、又は椅子等、背凭れと座ることを目的とする対象物に適用される。
【００７３】  本実施形態１によれば、パッド３、４Ａは使う人の体型や好みにあわせ、クッション２Ａに脱着することで、その位置を、上下左右に自由に変更可能である。これによって、使う人の体型に合わせることができ、好みの位置にして使うことを可能とする。
【００７４】  以上説明した第１実施形態のクッション１によれば、パッド３又はパッド４Ａがクッション２Ａに対して脱着可能であるので、パッド３又はパッド４Ａの位置を自由に調整することが可能である。また、パッド３或いはパッド４Ａの反発弾性の大きさの異なる種類または個数を自由に使い分けることができる。パッド３或いはパッド４Ａの種類（例えば、寸法、硬さ、厚さ、通気性などの表面特性等）を自由に変更できる。シートを利用する者の身長、体重等の体型の相違点、好みの相違点等を克服することができる。自動車用、椅子用など、クッション１を多用途に利用でき、自由度が拡大する効果がある。
【００７５】  自分の体型や座席のサイズ等のニーズに合わせてクッションの高さ、硬さ、通気性を手軽にカスタマイズすることができ、それぞれの生活環境に合わせた最適な選択を行うことができる。座ることに関する個々のニーズに的確に応えることができる。必要最小限の部位を支えるコンパクトで軽量な設計であるので、例えば、女性でも軽く持ち上げることができ、車からオフィスの椅子へ楽々付け替える等、扱いが手軽にできる。
【００７６】  クッション１のパッド３又はパッド４Ａの位置及び／又は硬さを変更することで、ドライブ、事務作業、車椅子等、生活上の様々な場面で使用が簡単になり、座ること全般に使用できる。ドライバー、事務職、車椅子の方等、１日の中で長時間に渡って座る方全般への利用が簡単になる。
【００７７】  カバーシートが貫通通気孔を有しているために、クッション２Ａにおける臀部に当接する個所や背凭れの背筋に当接する個所での通気性が確保され、着席者の体温の発散や発汗などによる湿気の発散がスムーズに行うことができる。
【００７８】  体圧分散、姿勢矯正による健康への貢献が大であり、科学的な見地に基づく訴求が可能となる。姿勢の矯正が可能となり、痔などお尻にトラブルを抱えている人は痛みを緩和し、産後の女性は腰まわりからお尻までの負担を軽減できる。
【００７９】  安定して着席することができ、長時間の着座による蓄積疲労を低減できる。座る人全ての負担を軽減し、姿勢（体の軸）を矯正でき、健康でアクティブな人生を送るサポートをすることができる。
【００８０】  曲面を多用する洗練されたデザインを提供でき、インテリアに馴染むデザイン、装着例、ギャラリーなどの魅せる表現で訴求可能である。
【００８１】  つぎに、本発明の実施形態２のシートクッション２０１（以下、クッション２０１という。）は、図１１〜図１９に示す通り、多数のループ形状の起毛生地で覆われたフレンチパイルである第１ファスナー２０２ａが形成されたベースクッション２０２Ｂ（以下、クッション２０２Ｂという。）と、表面が曲面から構成されており、多数の通気孔を有するカバーシートによりクッションを覆うとともに、多数のフック形状の起毛を設けた第２ファスナー２０５ａ〜２０５ｄを裏面に取り付けたサイパッド２０５と、表面が曲面から構成されており、多数の通気孔を有するカバーシートによりクッションを覆うとともに、第３ファスナー２０４ａ，２０４ｂを裏面に取り付けた、クビレを有する一対の下サイドウィングパッド２０４Ｂ（以下、パッド２０４Ｂをいう。）と、を有し、第２ファスナー２０５ａ〜２０５ｄ及び／又は第３ファスナー２０４ａ，２０４ｂを第１ファスナー２０２ａに係合させることにより、サイパッド２０５及びパッド２０４Ｂをクッション２０２Ｂに取り付け、第２ファスナー２０５ａ〜２０５ｄ及び第３ファスナー２０４ａ，２０４ｂを第１ファスナー２０２ａから剥離させることにより、サイパッド２０５及びパッド２０４Ｂをクッション２０２Ｂから離脱させることが可能であり、このような係合及び剥離により、サイパッド２０５及びパッド２０４Ｂの位置及び硬さ等のクッション性能変更可能である。実施形態１と基本的には共通するので、共通点については説明を略し、主に、相違する点について説明する。
【００８２】  クッション２０２Ｂはクッション２Ａと同様の構造であるので、説明は援用する。
【００８３】  サイパッド２０５は洋凧形状であり、パッド３と同様の構造であってもよいし、図１６に示す通り、パッド４Ａと同様、中芯２３８を被覆材２３９が被覆する構造であってもよい。中央部に中芯２３８が縦方向に封入され、周辺部よりも厚くなっている。その他の説明は援用する。
【００８４】  パッド２０４Ｂは菱襟の形状を有し、内側よりも外側の厚みが厚く、パッド４Ａと同様の構造であるので、説明は援用する。
【００８５】  ベルト２０２ｈはベルト２ｅ、２ｆと同様の構造であるので、説明は援用する。
【００８６】  差込パッド２０２ｇはパッド２ｇと同様の構造であるので、説明は援用する。
【００８７】  第２実施形態によれば、サイパッド２０５又はパッド２０４Ｂがクッション２Ａに対して脱着可能であるので、サイパッド２０５又はパッド２０４Ｂの位置を自由に調整することが可能である。図１６Ｂに示す通り、太腿Ｔの裏面、側面に適合した形状であるので、体圧の分散が好適である。立った状態に近い状態で太腿Ｔを保持できるメリットが有る。また、サイパッド２０５又はパッド２０４Ｂの個数を自由に使い分けることができる。サイパッド２０５又はパッド２０４Ｂの種類（例えば、寸法、硬さ、厚さ、通気性などの表面特性等）を自由に変更できる。シートを利用する者の身長、体重等の体型の相違点、好みの相違点等を克服することができる。自動車用、椅子用など、シートクッションを多用途に利用でき、自由度が拡大する効果がある。
【００８８】  第１実施形態又は第２実施形態について、クッション性、大きさが相違する複数個のパッドを用いることができる。
【００８９】  第３実施形態のシートクッション３０１は、第1実施形態のクッション１の下端部と、第２実施形態のクッション２０１の上端部を連結させ一体化して成るシートクッションであり、図２０に示すものである。一体化に伴い、差込パッドは１個でよいが複数設けても良い。
【００９０】  本発明の実施形態４のシートクッション４０１は、図２１〜図２３に示す通り、基本的には第１実施形態のクッション１と同様であり、共通点については説明を援用し、主に、相違する点について説明する。対応する部品番号は４００番台とする。
【００９１】  ベースクッション４０２（以下、クッション４０２という。）には、第１ファスナー４０２ａが表裏両面に形成されている。ファスナーの接着力が弱くなった場合には他の面に交換できるようにするためである。また、表裏両面の意匠を好みで交換可能とするためである。クッション４０２には、Ｖライン溝４０２ｂが形成されている。Vライン溝４０２ｂを設けたのは、皺ができやすい箇所に配置することで、皺を吸収し目立たなくするためである。センターパッド４０３は、腰、背中、または首の位置に対応する位置に配置され耐久性を向上させるため複数層のモルトフィルタをダブルラッセル構造の生地で被覆した構造である。モルトフィルタは、ウレタンフォームを特殊処理により、完全なオープンセル構造にしたウレタンフィルターである。ポリエステル系ウレタンフォームとポリエーテル系ウレタンフォームのいずれでもよい。ウレタンフォームが有する三次元構造と高い空孔率、さらに完全なオープンセル構造のため、耐久性に優れている。ベルト４０２ｅは横ベルト４０５ａと、垂直ベルト４０５ｂとを備え、垂直ベルト４０５ｂの先端のファスナー４０５ｃを脱着することで、横ベルト４０５ａに対してＴ字形に接続することで、自動車のヘッドレストに装着を容易にしてある。クッション４０２の中央部に一対のベルト４０２ｆを設けてある。ベルト４０２ｆは座席に取り付けるためのものであり、端部に脱着自在な脱着装置を設けている。ベルト４０２ｆを備えることで、シートクッションを座席に簡単に装着できる。差込パッド４０２ｇは、クッション４０２に対してファスナーにより脱着自在である。自動車のシート構造は様々であり、差込パッド４０２ｇの取り付け位置を変更することで、これに対応させるためである。差込パッド４０２ｇはポリエチレン高発泡体をダブルラッセルの生地で被覆したものである。
【００９２】  本発明の実施形態５のシートクッション５０１は、図２４〜図２８に示す通り、基本的には第２実施形態のクッション２０１と同様であり、共通点については説明を援用し、主に、相違する点について説明する。対応する部品番号は５００番台とする。
【００９３】  ベースクッション５０２Ｂには、第１ファスナー５０２ａが表裏両面に形成されている。第１ファスナー５０２ａの付着力が弱くなった場合に交換できるようにするためである。また、表裏両面の意匠を好みで交換可能とするためである。ベースクッション５０２Ｂには、Ｖライン溝５０２ｂが形成されている。Vライン溝５０２ｂを設けたのは、皺ができやすい箇所に配置することで、皺を吸収し目立たなくするためである。サイパッド５０５は、足の間に配置されるものである。耐久性を向上させるため複数層のモルトフィルタをダブルラッセル構造の生地で被覆した構造としてもよい。右側の下サイドウィングパッド５０４Ｂの内側下部端部からファスナー５０４ｃが内側に延び出すように設けられる。運転者の乗り降りの際に足の移動で、下サイドウィングパッド５０４Ｂがめくれないように、ベースクッション５０２Ｂへの下サイドウィングパッド５０４Ｂの付着力を増大させるためである。シートクッション５０１を助手席に装着する場合にはファスナー５０４ｃの取り付け位置は左側の下サイドウィングパッド５０４Ｂになる。ベルト５０２ｉは裏面上部のベースクッション５０２Ｂの両端部に縫着された横ベルトである。差込パッド５０２ｇは、ベースクッション５０２Ｂに対してファスナーにより脱着自在である。自動車のシート構造は様々であり、差込パッド５０２ｇの取り付け位置を変更することで、これに対応させるためである。差込パッド５０２ｇはポリエチレン高発泡体をダブルラッセルの生地で被覆したものである。
【００９４】  本発明の実施形態６のシートクッション６０１は、図２９〜図３６に示す通り、基本的には第１〜５実施形態のクッション１〜５と共通する構成があるので、共通点については説明を援用し、主に、相違する点について説明する。対応する部品番号は６００番台とする。
【００９５】  ベースクッション６０２（以下、クッション６０２という。）は、基本的には、実施形態１のクッション１と実施形態２のクッション２０１を上下に縫製して合体し、さらにバックパッド６０６と、レッグパッド６０７を追加したものであり、多種類なパッドを脱着可能として、クッション６０２の表側のほぼ全体を覆えるように設計されたものであり、ほどよい柔らかさで体圧分散に優れている。
【００９６】  クッション６０２に各パーツをファスナーで好みの位置にセットできる。すべてのパーツは、クッション６０２から取り外しが可能となっており、体型やシートの状態、悩みやお好みに応じて、セミオーダー感覚で位置を調整できる世界初のフルカスタムクッションである。クッション６０２は他種類のシート全体を覆えるように設計され、ほどよい柔らかさのウレタンで、体圧分散性に優れている。センターラインは黒色で単調になってしまいがちなベース部分にアクセントとしてのラインである。
【００９７】  センターパッド６０３（以下、パッド６０３という。）は、図２９に示す通り、横方向に長い形状で略５角形のＶ字形状であり、頭、首、背中、腰の部位に対応する位置に配置され、配置は変更可能である。パッド６０３は人体本来の自然の姿勢である腰部のＳ字ラインを正しく保持し負担を分散させる。腰回りの支えのほかに、首周りにも設置可能であり、上下に位置をずらすことで、ネックパッドにもなる。
【００９８】  一対のサイドウィングパッドは、図２９に示す通り、上サイドウィングパッド６０４Ａ（以下、パッド６０４Ａという。）と、下サイドウィングパッド６０４Ｂ（以下、パッド６０４Ｂという。）からなり、左右対称の形状である。これらのパッド６０４Ａは、上半身を両側から包み込み、身体のズレなど姿勢の崩れを防止する。パッド６０４Ｂは、下半身を両側から包み込み、身体のズレなど姿勢の崩れを防止する。パッド６０４Ａの形状は、パッド４Ａと同様であり、パッド６０４Ｂの形状は、略ハート型となっている。これらの設置幅を調整することで、様々な体格の人に対応でき、自分の体格に合わせてジャストフィットできるので、長時間のドライブにも疲労を感じにくい。
【００９９】  サイパッド６０５は、クッション６０２の前方中央に備えられた洋凧形状の四角形である。サイパッド６０５は、太腿を支えて姿勢の崩れを防ぎ、ベストなドライビングポジションを長時間に渡ってサポートする。
【０１００】  一対のバックパッド６０６は、図２９に示す通り、クッション６０２の背面上部に備えられ、中央に切れ込みを有し、フレーム入りの左右対称の長方形の形状である。バックパッド６０６の厚みは、ベースクッション６０２の厚みより大きく、パッド６０３、６０４Ａの厚みより小さい。バックパッド６０６の横幅は、パッド６０３、６０４Ａの最大横幅より小さい。バックパッド６０６は、パッド６０３の上又は下において、パッド６０４Ａの間に配置される。バックパッド６０６は、背中を立体的に支え、背中の体圧分散機能を促進し、マッサージ効果も生じさせるものである。
【０１０１】  一対のレッグパッド６０７は、図２９に示すようにクッション６０２の下部に備えられ、中に切れ込みを有し、左右対称の形状である。レッグパッド６０７の厚みは、ベースクッション６０２の厚みより大きく、サイパッド６０５、パッド６０４Ｂの厚みより小さい。レッグパッド６０７の横幅は、サイパッド６０５、パッド６０４Ｂの最大横幅より小さい。レッグパッド６０７は、サイパッド６０５とパッド６０４Ｂの間に配置される。レッグパッド６０７は臀部のクッション性を高め体圧の分散をさらに付加する。座面の厚さを増し、クッション性とアイポイントを高める。凹凸が尾骨などをケアする。
【０１０２】  上記の各パッドはクッション６０２から取り外しが可能であり、体型やシートの形状を好みに合わせてセミオーダー感覚で位置を調整可能である。例えば、小柄な女性が使用する場合、パッド６０４Ａ，６０４Ｂの間隔を狭くし、体格の良い男性が使用する場合、間隔を広くすることができる。
【０１０３】  クッション６０２は、図３５、図３６に示す通り、２枚のシートクッション（sheet cushion）６０２ａ，６０２ｂの端部を突き合わせて縫製し連結することにより、図３０に示す通り裏面側に突出する屈曲部６０８を形成したものである。クッション６０２は、図２９〜図３４に示すＬ字形の第１の状態と、図３５、図３６に示す水平の第２の状態に変化可能な構造である。使用者が座ることに加えて、寝ることにも利用できる。
【０１０４】  図３３に示す通り、屈曲部６０８の面に差込部６０２ｇが脱着される。差込部６０２ｇがクッション６０２から外れにくくなる。
【０１０５】  本発明は、上述の実施の形態に限定されるものではなく、本発明の技術的思想を逸脱しない範囲において、改変等を加えることが出来るものであり、それらの改変、均等物等も本発明の技術的範囲に含まれる。
【産業上の利用可能性】
【０１０６】  本発明のシートクッションは、使い勝手を改善し、座る人の負担を軽減し、姿勢（体の軸）を矯正でき、健康でアクティブな人生を送るサポートとなり、座ることに関する個々のニーズに的確に応えることができ、その産業的利用価値は大である。
【符号の説明】
【０１０７】１・・・シートクッション９０・・・シート２ａ・・・第１面ファスナー２Ａ・・・ベースクッション２ｅ、２ｆ・・・ベルト２ｇ・・・差込パッド３ａ〜３ｄ・・・第２面ファスナー３・・・センターパッド４ａ〜４ｃ・・・第３面ファスナー４Ａ・・・上サイドウィングパッド３０・・・表生地３１・・・裏生地３２・・・周縁部３５〜３７・・・クッション３９・・・ファスナー４０・・・表生地４１・・・裏生地４２・・・周縁部４３・・・内端縫製線４４・・・襟外端線４５・・・三角形状部４６・・・中央凹部４７・・・下部三角形状部４８・・・中芯４９・・・被覆材２０１・・・シートクッション２０２ａ・・・第１面ファスナー２０２Ｂ・・・ベースクッション２３２・・・内端縫製線２３８・・・中芯２３９・・・被覆材２０２ｇ・・・差込パッド２０２ｈ・・・ベルト２０４Ｂ・・・下サイドウィングパッド２０４ａ，２０４ｂ・・・第３面ファスナー２０５・・・サイパッド２０５ａ〜２０５ｄ・・・第２面ファスナー３０１・・・シートクッション４０１・・・シートクッション４０２ａ・・・第１面ファスナー４０２・・・ベースクッション４０２ｂ・・・Ｖライン溝４０３・・・センターパッド４０４Ａ・・・上サイドウィングパッド４０２ｅ、４０２ｆ・・・ベルト４０５ａ・・・横ベルト４０５ｂ・・・垂直ベルト４０５ｃ・・・面ファスナー４０２ｇ・・・差込パッド５０１・・・シートクッション５０２ａ・・・第１面ファスナー５０２Ｂ・・・ベースクッション５０２ｂ・・・Ｖライン溝５０２ｇ・・・差込パッド５０２ｉ・・・ベルト５０４Ｂ・・・下サイドウィングパッド５０４ａ，５０４ｂ・・・第３面ファスナー５０４ｃ・・・面ファスナー５０５・・・サイパッド６０１・・・シートクッション６０２・・・ベースクッション６０２ｅ、６０２ｉ・・・ベルト６０２ｇ・・・差込パッド６０３・・・センターパッド６０４Ａ・・・上サイドウィングパッド６０４Ｂ・・・下サイドウィングパッド６０５・・・サイパッド６０５ａ・・・横ベルト６０５ｂ・・・垂直ベルト６０６・・・バックパッド６０７・・・レッグパッド６０８・・・屈曲部Ｔ・・・太腿
【図１】
2017033467.tif 000003
【図２】
2017033467.tif 000004
【図３】
2017033467.tif 000005
【図４】
2017033467.tif 000006
【図５】
2017033467.tif 000007
【図６】
2017033467.tif 000008
【図７】
2017033467.tif 000009
【図８】
2017033467.tif 000010
【図９】
2017033467.tif 000011
【図１０】
2017033467.tif 000012
【図１１】
2017033467.tif 000013
【図１２】
2017033467.tif 000014
【図１３】
2017033467.tif 000015
【図１４】
2017033467.tif 000016
【図１５】
2017033467.tif 000017
【図１６】
2017033467.tif 000018
【図１７】
2017033467.tif 000019
【図１８】
2017033467.tif 000020
【図１９】
2017033467.tif 000021
【図２０】
2017033467.tif 000022
【図２１】
2017033467.tif 000023
【図２２】
2017033467.tif 000024
【図２３】
2017033467.tif 000025
【図２４】
2017033467.tif 000026
【図２５】
2017033467.tif 000027
【図２６】
2017033467.tif 000028
【図２７】
2017033467.tif 000029
【図２８】
2017033467.tif 000030
【図２９】
2017033467.tif 000031
【図３０】
2017033467.tif 000032
【図３１】
2017033467.tif 000033
【図３２】
2017033467.tif 000034
【図３３】
2017033467.tif 000035
【図３４】
2017033467.tif 000036
【図３５】
2017033467.tif 000037
【図３６】
2017033467.tif 000038
【国際調査報告】
2017033467.tif 000039
2017033467.tif 000040
2017033467.tif 000041
2017033467.tif 000042